【手続補正書】
【提出日】平成19年11月14日(2007.11.14)
【手続補正１】
【補正対象書類名】明細書
【補正対象項目名】特許請求の範囲
【補正方法】変更
【補正の内容】
【特許請求の範囲】
【請求項１】  光信号を伝達する選択された長さを有するファイバであり、所定の選択された波長を有する複数の反射光信号を反射し返すように、予め決められた屈折率の周期を有するブラッグ格子を含むファイバと、
前記ファイバの長さを変化させることによって前記予め決められた屈折率の周期を変化させる、前記ファイバに連結されたアクチュエータと、
前記複数の反射光信号に関連するパラメータを監視することによって前記アクチュエータを制御する閉ループコントローラと
からなることを特徴とする同調可能な光フィルタ。
【請求項２】  前記アクチュエータは、
前記ファイバと実質的に同じ長さを有する少なくとも一つの形状記憶合金（ＳＭＡ）部材と、
形状記憶合金の長さを変化させ対応する変化を前記ファイバの長さに引き起こすように、制御された量の熱を前記少なくとも一つのＳＭＡ部材に供給する加熱装置とからなることを特徴とする、請求項１に記載の同調可能な光フィルタ。
【請求項３】  前記アクチュエータは、
前記ファイバと実質的に同じ長さを有する少なくとも一つの形状記憶合金（ＳＭＡ）部材と、
形状記憶合金の長さを変化させ対応する変化を前記ファイバの長さに引き起こすように、制御された量の電流を前記少なくとも一つのＳＭＡ部材に供給する電流源とからなることを特徴とする、請求項１に記載の同調可能な光フィルタ。
【請求項４】  前記アクチュエータは、
各々が前記ファイバと実質的に同じ長さを有し、六角形構成に前記ファイバの周りに配置された６個の形状記憶合金（ＳＭＡ）部材と、
前記形状記憶合金部材の長さを変化させ対応する変化を前記ファイバの長さに発生させるように、制御された量の熱を前記ＳＭＡ部材に供給する加熱装置とからなることを特徴とする、請求項１に記載の同調可能な光フィルタ。
【請求項５】  前記ＳＭＡ部材の各々は、前記ファイバに接合されていることを特徴とする、請求項４に記載の同調可能な光フィルタ。
【請求項６】  前記六角形構成は管の中にパックされていることを特徴とする、請求項４に記載の同調可能な光フィルタ。
【請求項７】  前記ファイバは、約３インチから約３６インチまでの長さであって、シングルモードのファイバからなることを特徴とする、請求項４に記載の同調可能な光フィルタ。
【請求項８】  前記ファイバは、マルチモードファイバからなることを特徴とする、請求項４に記載の同調可能な光フィルタ。
【請求項９】  前記アクチュエータは、
各々が前記ファイバと実質的に同じ長さを有し、六角形構成に前記ファイバの周りに配置された６個の形状記憶合金（ＳＭＡ）部材と、
前記形状記憶合金部材の長さを変化させ対応する変化を前記ファイバの長さに発生させるように、制御された量の電流を前記ＳＭＡ部材に供給する電流源とからなることを特徴とする、請求項１に記載の同調可能な光フィルタ。
【請求項１０】  前記ＳＭＡ部材の各々は、前記ファイバに接合されていることを特徴とする、請求項９に記載の同調可能な光フィルタ。
【請求項１１】  前記六角形構成は管の中にパックされていることを特徴とする、請求項９に記載の同調可能な光フィルタ。
【請求項１２】  前記ファイバは、約３インチから約３６インチまでの長さであって、シングルモードファイバからなることを特徴とする、請求項９に記載の同調可能な光フィルタ。
【請求項１３】  前記ファイバは、マルチモードファイバからなることを特徴とする、請求項９に記載の同調可能な光フィルタ。
【請求項１４】  光信号を伝達する、選択された長さおよび選択された直径を有するファイバであり、所定の選択された波長を有する複数の反射光信号を反射し返すように予め決められたピッチを有するブラッグ格子を含むファイバと、
各々の形状記憶合金（ＳＭＡ）部材が前記ファイバの長さおよび直径と実質的に同じ長さおよび直径を有し、長手方向構成に前記ファイバの周りに配置され端部が前記ファイバの端部に接合されている前記複数の形状記憶合金（ＳＭＡ）部材と、
前記ＳＭＡ部材の長さを変化させ、前記複数の反射光信号が異なる波長に同調するように前記ブラッグ格子のピッチに変化を発生させる、前記ファイバの長さの対応する変化を発生させるように、制御された量の電流を前記ＳＭＡ部材に供給する電流源と
からなることを特徴とする、可変同調範囲を有する光フィルタ。
【請求項１５】  前記複数のＳＭＡ部材は前記ファイバの周りに六角形パックに配置された６個のＳＭＡ部材からなることを特徴とする、請求項１４に記載の可変同調範囲を有する光フィルタ。
【請求項１６】  前記ファイバは、約１５５０ｎｍ用に最適化されたシングルモードファイバからなることを特徴とする、請求項１５に記載の可変同調範囲を有する光フィルタ。
【請求項１７】  前記ファイバは、約１３１０ｎｍ用に最適化されたシングルモードファイバからなることを特徴とする、請求項１５に記載の可変同調範囲を有する光フィルタ。
【請求項１８】  前記ファイバは、約１５５０ｎｍ用に最適化されたマルチモードファイバからなることを特徴とする、請求項１５に記載の可変同調範囲を有する光フィルタ。
【請求項１９】  前記ファイバは、約１３１０ｎｍ用に最適化されたマルチモードファイバからなることを特徴とする、請求項１５に記載の可変同調範囲を有する光フィルタ。
【請求項２０】  同調可能な光フィルタを製造する方法であって、
選択された長さおよび選択された直径のファイバブラッグ格子部材を用意するステップと、
複数の形状記憶合金（ＳＭＡ）部材が前記ファイバブラッグ格子部材の長さ方向に沿って長手方向に配置され端部が前記ファイバブラッグ格子部材の端部に接合されるように、各々のＳＭＡ部材が前記ファイバブラッグ格子部材の長さおよび直径と実質的に同じ長さおよび直径を有する前記複数の形状記憶合金（ＳＭＡ）部材を前記ファイバブラッグ格子部材に接合するステップと、
前記複数のＳＭＡ部材に電流源を連結するステップとからなり、
前記電流源は、制御された量の電流を前記ＳＭＡ部材に印加して前記ＳＭＡ部材の長さを変化させ対応する変化を前記ファイバブラッグ格子部材の長さに発生させるように、前記ファイバブラッグ格子部材によって供給される出力を有する閉ループ制御構成になっていることを特徴とする方法。
【請求項２１】  前記複数のＳＭＡ部材は、各々が前記ファイバブラッグ格子部材を六角形パック構成に取り囲む６個のＳＭＡ部材からなることを特徴とする、請求項２０に記載の同調可能な光フィルタを製造する方法。
【請求項２２】  ファイバブラッグ格子部材を供給する前記ステップは更に、
前記選択された長さおよび直径のシングルモードファイバをコヒーレントな紫外線に露出するステップと、
前記シングルモードファイバの長さに沿って周期的なピッチを有する干渉パターンを生成するステップと、
前記シングルモードファイバの長さに沿った前記干渉パターンの前記周期的ピッチに空間的に対応する周期的変化を、前記シングルモードファイバの屈折率に発生させるステップとからなることを特徴とする、請求項２１に記載の同調可能な光フィルタを製造する方法。
【請求項２３】  同調可能な光フィルタを製造する方法であって、
選択された長さおよび選択された直径のファイバブラッグ格子部材を用意するステップと、
複数の形状記憶合金（ＳＭＡ）部材が前記ファイバブラッグ格子部材の長さ方向に沿って長手方向に配置され前記ＳＭＡ部材の端部が前記ファイバブラッグ格子部材の端部に接合されるように、各々のＳＭＡ部材が前記ファイバブラッグ格子部材の長さおよび直径と実質的に同じ長さおよび直径を有する前記複数の形状記憶合金（ＳＭＡ）部材を前記ファイバブラッグ格子部材に接合するステップと、
前記複数のＳＭＡ部材に熱源を熱的に連結するステップとからなり、
前記熱源は、制御された量の熱を前記ＳＭＡ部材に印加して前記ＳＭＡ部材の長さを変化させ対応する変化を前記ファイバブラッグ格子部材の長さに発生させるように、前記ファイバブラッグ格子部材によって供給される出力を有する閉ループ制御構成になっていることを特徴とする方法。
【請求項２４】  前記複数のＳＭＡ部材は、各々が前記ファイバブラッグ格子部材を六角パック構成に取り囲む６個のＳＭＡ部材からなることを特徴とする、請求項２３に記載の同調可能な光フィルタを製造する方法。
【請求項２５】  前記ファイバブラッグ格子部材を与えるステップは更に、
前記選択された長さおよび直径のシングルモードファイバをコヒーレントな紫外線に露出するステップと、
前記シングルモードファイバの長さに沿って周期的なピッチを有する干渉パターンを生成するステップと、
前記シングルモードファイバの長さに沿った前記干渉パターンの前記周期的ピッチに空間的に対応する周期的変化を、前記シングルモードファイバの屈折率に発生させるステップとからなることを特徴とする、請求項２４に記載の同調可能な光フィルタを製造する方法。